(57)【要約】番組情報を表示する散布図の軸として任意の属性を用いた電子番組ガイドを利用する事が可能で、所望の番組を簡単にみつけだすことが可能な番組情報表示装置が提供される。更に、離散的な配置の制約のない自由度の高い番組情報の表示が可能な電子番組ガイドを備える番組情報表示装置が提供することができる。この番組情報表示装置は、番組情報をＸ軸の属性に対する関連値とＹ軸の属性に対する関連値に従った位置に配置した散布図を表示する番組情報表示装置であって、番組情報格納手段と、番組情報処理手段と、番組情報表示手段と、属性入力手段とを備える。
2004107748.tif 000002
【特許請求の範囲】
【請求項１】
番組に関連する少なくとも２つの属性の中から視聴者が任意に選んだ２つの属性をそれぞれＸ軸とＹ軸にとり、番組情報を前記Ｘ軸の属性に対する関連値と前記Ｙ軸の属性に対する関連値に従った位置に配置した散布図を表示する番組情報表示装置であって、
番組情報格納手段と、
番組情報処理手段と、
番組情報表示手段と、
属性入力手段と
を備え、
前記番組情報格納手段は少なくとも１つの前記番組情報と前記番組情報の少なくとも２つの前記属性に対する関連度を数値化した前記関連値を格納し、
前記属性入力手段は前記散布図の前記Ｘ軸として用いられる第１の属性と前記Ｙ軸として用いられる第２の属性を入力し、
前記番組情報処理手段は前記属性入力手段から前記第１の属性と前記第２の属性を取得し、前記番組情報格納手段から前記番組情報と前記第１の属性に対する関連値と前記第２の属性に対する関連値を取得し、
前記番組情報表示手段は前記番組情報処理手段から前記番組情報と前記第１の属性と前記第２の属性と前記第１の属性に対する関連値と前記第２の属性に対する関連値を取得し、前記第１の属性と前記第２の属性をそれぞれ前記散布図の前記Ｘ軸と前記Ｙ軸としてとり、前記番組情報を前記散布図の前記第１の属性に対する関連値と前記第２の属性に対する関連値に従った位置に表示する
番組情報表示装置。
【請求項２】
前記番組情報表示手段は前記番組情報に加えてアイコンを前記番組情報の前記Ｘ軸に対する関連値と前記Ｙ軸に対する関連値に従った位置に配置する散布図を表示する
請求項１記載の番組情報表示装置。
【請求項３】
前記属性は番組に関連する情報であって、チャンネル、放送時間、ジャンル、視聴率を含む情報である請求項１記載の番組情報表示装置。
【請求項４】
前記番組情報格納手段に格納されている前記番組情報はサムネールを含む請求項１記載の番組情報表示装置。
【請求項５】
前記属性入力手段は前記第１の属性の表示範囲と前記第２の属性の表示範囲を更に入力し、
前記番組情報表示手段は前記属性入力手段から前記第１の属性の表示範囲と前記第２の属性の表示範囲を更に取得し、前記第１の属性と前記第２の属性をそれぞれ前記散布図の前記Ｘ軸と前記Ｙ軸としてとり、前記Ｘ軸の表示範囲を前記第１の属性の表示範囲で表示し、前記Ｙ軸の表示範囲を前記第２の属性の表示範囲で表示し、前記番組情報を前記散布図の前記第１の属性に対する関連値と前記第２の属性に対する関連値に従った位置に表示する
請求項１、２、３または４記載の番組情報表示装置。
【請求項６】
番組情報削除手段を更に備え、
前記番組情報格納手段は少なくとも１つの番組情報と前記番組情報の少なくとも３つの属性に対する関連値を格納し、
前記属性入力手段は第３の属性及び前記第３の属性の制限値を前記散布図に前記番組情報を表示させる際の閾値として更に入力し、
前記番組情報削除手段は前記属性入力手段から前記第３の属性及び前記第３の属性の制限値を取得し、前記番組情報格納手段から前記番組情報及び前記番組情報の少なくとも３つの属性に対する関連値を取得し、前記番組情報の少なくとも３つの属性に対する関連値の中の前記第３の属性に対する関連値と前記第３の属性の制限値を比較し、前記第３の属性に対する関連値が前記第３の属性の制限値未満の場合は前記番組情報及び前記番組情報の少なくとも３つの属性に対する関連値を削除し、前記第３の属性に対する関連値が前記第３の属性の制限値以上の場合は前記番組情報及び前記番組情報の少なくとも３つの属性に対する関連値を保存し、
前記番組情報処理手段は前記属性入力手段から前記第１の属性と前記第２の属性を取得し、前記番組情報削除手段に保存された前記番組情報及び前記番組情報の少なくとも３つの属性に対する関連値の中から前記番組情報及び前記第１の属性に対する関連値と前記第２の属性に対する関連値を取得することで、前記第３の属性の制限値未満の前記第３の属性に対する関連値を持つ番組情報を前記散布図に表示させない
請求項１、２、３または４記載の番組情報表示装置。
【請求項７】
番組情報数判定手段を更に備え、
前記番組情報数判定手段は前記番組情報処理手段から番組情報を取得し、前記番組情報の数を判定し、その判定結果を前記番組情報処理手段に出力し、
前記番組情報処理手段は前記番組情報数判定手段から前記判定結果を取得し、前記判定結果をもとに前記番組情報表示手段に出力する番組情報の情報量を決定することで前記散布図に表示される前記番組情報の数により前記番組情報を表示する情報量を変化させる
請求項１、２、３または４記載の番組情報表示装置。
【請求項８】
番組情報数判定手段を更に備え、
前記番組情報数判定手段は番組散布図の表示範囲を判定し、その判定結果を前記番組情報処理手段に出力し、
前記番組情報処理手段は前記番組情報数判定手段から前記判定結果を取得し、前記判定結果をもとに前記番組情報表示手段に出力する番組情報の情報量を決定することで前記散布図に表示される前記番組情報の数により前記番組情報を表示する情報量を変化させる
請求項１、２、３または４記載の番組情報表示装置。
【請求項９】
番組情報表示サイズ設定手段を更に備え、
前記番組情報格納手段は少なくとも１つの番組情報と前記番組情報の少なくとも３つの属性に対する関連値を格納し、
前記属性入力手段は第３の属性を更に入力し、
前記番組情報処理手段は前記属性入力手段から前記第１の属性と前記第２の属性と前記第３の属性を取得し、前記番組情報格納手段から前記番組情報及び前記第１の属性に対する関連値と前記第２の属性に対する関連値と前記第３の属性に対する関連値を取得し、
前記番組情報表示サイズ設定手段は番組情報処理手段から前記番組情報及び前記第１の属性と前記第２の属性と前記第３の属性と前記第１の属性に対する関連値と前記第２の属性に対する関連値と前記第３の属性に対する関連値を取得し、前記第３の属性に対する関連値から前記散布図に表示させる番組情報の文字の表示サイズ設定値を決定し、
前記番組情報表示手段は前記番組情報表示サイズ設定手段から前記番組情報及び前記第１の属性と前記第２の属性と前記第１の属性に対する関連値と前記第２の属性に対する関連値と前記表示サイズ設定値を取得し、前記第１の属性と前記第２の属性をそれぞれ前記散布図のＸ軸とＹ軸としてとり、前記番組情報を前記番組情報の前記第１の属性に対する関連値と前記第２の属性に対する関連値に従った位置に、前記表示サイズ設定値に従った文字の大きさで表示する
請求項１、２、３または４記載の番組情報表示装置。
【請求項１０】
番組情報表示サイズ設定手段を更に備え、
前記番組情報格納手段は少なくとも１つの番組情報と前記番組情報の少なくとも３つの属性に対する関連値を格納し、
前記属性入力手段は第３の属性を更に入力し、
前記番組情報処理手段は前記属性入力手段から前記第１の属性と前記第２の属性と前記第３の属性を取得し、前記番組情報格納手段から前記番組情報及び前記第１の属性に対する関連値と前記第２の属性に対する関連値と前記第３の属性に対する関連値を取得し、
前記番組情報表示サイズ設定手段は番組情報処理手段から前記番組情報及び前記第１の属性と前記第２の属性と前記第３の属性と前記第１の属性に対する関連値と前記第２の属性に対する関連値と前記第３の属性に対する関連値を取得し、前記第３の属性に対する関連値から前記散布図に表示させる番組情報の文字の表示サイズ設定値を決定し、
前記番組情報表示手段は前記番組情報表示サイズ設定手段から前記番組情報及び前記第１の属性と前記第２の属性と前記第１の属性に対する関連値と前記第２の属性に対する関連値と前記表示サイズ設定値を取得し、前記第１の属性と前記第２の属性をそれぞれ前記散布図のＸ軸とＹ軸としてとり、前記番組情報を前記番組情報の前記第１の属性に対する関連値と前記第２の属性に対する関連値に従った位置に、アイコンの大きさを表示サイズ設定値に従った大きさで表示する
請求項１、２、３または４記載の番組情報表示装置。
【請求項１１】
前記番組情報表示手段は３次元表示をする３次元番組情報表示手段であり、
前記番組情報格納手段は少なくとも１つの番組情報と前記番組情報の少なくとも３つの属性に対する関連値を格納し、
前記属性入力手段は第３の属性を３次元で表示される散布図のＺ軸として更に入力し、
前記番組情報処理手段は前記属性入力手段から前記第１の属性と前記第２の属性と前記第３の属性を取得し、前記番組情報格納手段から前記番組情報及び前記番組情報の前記第１の属性に対する関連値と前記第２の属性に対する関連値と前記第３の属性に対する関連値を取得し、
前記３次元番組情報表示手段は前記番組情報処理手段から番組情報及び前記第１の属性と前記第２の属性と前記第３の属性と前記第１の属性に対する関連値と前記第２の属性に対する関連値と前記第３の属性に対する関連値を取得し、前記第１の属性と前記第２の属性と前記第３の属性をそれぞれ３次元で表示する散布図のＸ軸とＹ軸と前記Ｚ軸としてとり、前記番組情報を前記番組情報の前記第１の属性に対する関連値と前記第２の属性に対する関連値と前記第３の属性に対する関連値に従った位置に表示する
請求項１、２、３または４記載の番組情報表示装置。
【請求項１２】
チャンネル割り当て手段を更に備え
前記番組情報処理手段は前記属性入力手段から第１の属性と第２の属性を取得し、前記番組情報格納手段から番組情報及び前記番組情報の前記第１の属性に対する関連値と前記第２の属性に対する関連値を取得し、
前記チャンネル割り当て手段は前記番組情報処理手段から前記番組情報及び前記番組情報の前記第１の属性に対する関連値と前記第２の属性に対する関連値を取得し、前記関連値から前記番組情報に割り当てる仮想チャンネルを決定し、
前記番組情報処理手段は前記チャンネル割り当て手段から前記仮想チャンネルを取得し、
前記番組情報表示手段は前記番組情報処理手段から前記番組情報と前記番組情報の前記仮想チャンネルと前記第１の属性と前記第２の属性と前記第１の属性に対する関連値と前記第２の属性に対する関連値を取得し、前記第１の属性と前記第２の属性をそれぞれ散布図のＸ軸とＹ軸としてとり、前記番組情報及び前記仮想チャンネルを前記第１の属性に対する関連値と前記第２の属性に対する関連値に従った場所に表示する
請求項１、２、３または４記載の番組情報表示装置。
【請求項１３】
前記チャンネル割り当て手段は番組情報の前記第１の属性に対する関連値と前記第２の属性に対する関連値を合算した値を合算値としてとり、前記合算値の高い番組情報から昇順もしくは降順で割り当てる仮想チャンネルを決定する
請求項１２記載の番組情報表示装置。
【請求項１４】
前記番組情報処理手段は番組情報と割り当てられた前記仮想チャンネルの組み合わせを設定された条件を満たすまで保持する
請求項１２記載の番組情報表示装置。
【請求項１５】
前記番組情報処理手段は番組情報と割り振られた前記仮想チャンネルの組み合わせを一定時間保持する
請求項１４記載の番組情報表示装置。
【請求項１６】
前記番組情報処理手段は番組情報と割り振られた前記仮想チャンネルの組み合わせを電源が切れるまで保持する
請求項１４記載の番組情報表示装置。
【請求項１７】
前記番組情報処理手段は番組情報と割り振られた前記仮想チャンネルの組み合わせを一定数保持する
請求項１４記載の番組情報表示装置。
【請求項１８】
前記番組情報処理手段は番組情報と割り振られた前記仮想チャンネルの組み合わせを前記番組情報に対応する番組が終了するまで保持する
請求項１４記載の番組情報表示装置。
【請求項１９】
前記属性入力手段は、視聴者が番組を選択する際に、前記番組情報表示手段に表示された仮想チャンネルと同じチャンネルを入力し、
前記番組情報処理手段は前記属性入力手段から前記チャンネルを取得し、前記仮想チャンネルに対応する正規のチャンネルを前記番組情報から取得し、前記正規のチャンネルを用いて前記番組を画面に表示する
請求項１２記載の番組情報表示装置。
【発明の詳細な説明】
【技術分野】  本発明は電子番組ガイド（ＥＰＧ：Ｅｌｅｃｔｒｏｎｉｃ  Ｐｒｏｇｒａｍ  Ｇｕｉｄｅ）を提供する番組情報表示装置に関するものである。
【背景技術】  近年放送される番組の数は衛星放送や地上波放送、有線放送等の発達により増加の傾向にあり、同一の受像機で視聴できる番組の数は増えてくるものと予想される。このように多チャンネル化が進んでいる中で、視聴者が所望の番組を簡単にみつけだすのは困難になりつつある。
このような中で番組情報を効率的に分かりやすく視聴者へ提供するための従来技術としては、番組情報を格納する番組情報格納手段と、各番組情報に付与された属性のうち、２つの属性に応じて番組表をＸ軸、Ｙ軸にしたがって２次元表示する番組表表示手段とを備えた構成とし、自由な属性をＸ軸、Ｙ軸として番組を２次元表示する番組表を作成するという番組情報処理装置がある。このような従来技術は、例えば特開平１１−２５５４１号公報に開示されている。
【発明の開示】
番組情報表示装置は
番組に関連する少なくとも２つの属性の中から視聴者が任意に選んだ２つの属性をそれぞれＸ軸とＹ軸にとり、番組情報をＸ軸の属性に対する関連値とＹ軸の属性に対する関連値に従った位置に配置した散布図を表示する番組情報表示装置であって、
番組情報格納手段と、
番組情報処理手段と、
番組情報表示手段と、
属性入力手段と
を備え、
番組情報格納手段は少なくとも１つの番組情報と番組情報の少なくとも２つの属性に対する関連度を数値化した関連値を格納し、
属性入力手段は散布図のＸ軸として用いられる第１の属性とＹ軸として用いられる第２の属性を入力し、
番組情報処理手段は属性入力手段から第１の属性と第２の属性を取得し、番組情報格納手段から番組情報及び第１の属性に対する関連値と第２の属性に対する関連値を取得し、
番組情報表示手段は番組情報処理手段から番組情報及び第１の属性と第２の属性と第１の属性に対する関連値と第２の属性に対する関連値を取得し、第１の属性と第２の属性をそれぞれ散布図のＸ軸とＹ軸としてとり、番組情報を散布図の第１の属性に対する関連値と第２の属性に対する関連値に従った位置に表示する。
【図面の簡単な説明】  図１は本発明の第１の実施の形態の構成を示すブロック図である。
図２は番組情報格納手段に格納された番組情報の例を抜粋して示すデータ構造図である。
図３は番組情報処理手段に格納された散布図に表示させる番組情報の例を抜粋して示すデータ構造図である。
図４は本発明の第１の実施の形態の表示動作を表す散布図である。
図５は本発明の第２の実施の形態の構成を示すブロック図である。
図６は本発明の第２の実施の形態の表示動作を表す散布図である。
図７は本発明の第３の実施の形態の構成を示すブロック図である。
図８は本発明の第３の実施の形態の表示動作を表す散布図である。
図９は本発明の第４の実施の形態の構成を示すブロック図である。
図１０は本発明の第４の実施の形態における番組情報処理手段に格納された番組情報の情報量の設定情報の例を抜粋して示すデータ構造図である。
図１１は本発明の第４の実施の形態において、表示する番組情報数が１０の場合の表示動作を表す散布図である。
図１２は本発明の第４の実施の形態において、表示する番組情報数が５の場合の表示動作を表す散布図である。
図１３は本発明の第５の実施の形態の構成を示すブロック図である。
図１４は本発明の第５の実施の形態の表示動作を表す散布図である。
図１５は本発明の第６の実施の形態の構成を示すブロック図である。
図１６は本発明の第６の実施の形態の表示動作を表す散布図である。
図１７は本発明の第７の実施の形態の構成を示すブロック図である。
図１８は本発明の第７の実施の形態において、番組情報処理手段に格納された散布図に表示させる番組情報の例を抜粋して示すデータ構造図である。
図１９は本発明の第７の実施の形態の表示動作を表す散布図である。
図面の参照符号の一覧表
１０１  番組情報格納手段
１０２  番組情報処理手段
１０３  番組情報表示手段
１０４  属性入力手段
２０１  チャンネル
２０２  タイトル
２０３  解説
２０４  属性
３０１  チャンネル
３０２  タイトル
３０３  第１の属性
３０３ａ  第１の属性に対する関連値
３０４  第２の属性
３０４ａ  第２の属性に対する関連値
４０１  Ｘ軸
４０２  Ｙ軸
４１１  番組情報表示エリア
４２１  アイコン
４２２  番組情報
６０１  Ｘ軸
６０２  Ｙ軸
６１１  番組情報表示エリア
７０１  番組情報削除手段
８０１  Ｘ軸
８０２  Ｙ軸
８１１  番組情報表示エリア
９０１  番組情報数判定手段
１００１  判定結果
１００２  アイコン
１００３  チャンネル
１００４  タイトル
１００５  解説
１００６  サムネール
１１０１  Ｘ軸
１１０２  Ｙ軸
１１１１  番組情報表示エリア
１２０１  Ｘ軸
１２０２  Ｙ軸
１２１１  番組情報表示エリア
１３０１  番組情報表示サイズ設定手段
１４０１  Ｘ軸
１４０２  Ｙ軸
１４１１  番組情報表示エリア
１４１１ａ  番組情報（［映画］「コスモスウォーズ」）
１４１１ｂ  番組情報（［ドラマ］「みんな友達」）
１５０１  ３次元番組情報表示手段
１６０１  Ｘ軸
１６０２  Ｙ軸
１６０３  Ｚ軸
１６１１  番組情報表示エリア
１７０１  チャンネル割り当て手段
１８０１  仮想チャンネル
１８０２  チャンネル
１８０３  タイトル
１８０４  第１の属性
１８０５  第２の属性
１９０１  Ｘ軸
１９０２  Ｙ軸
１９１１  番組情報表示エリア
１９２１  仮想チャンネル
【発明を実施するための最良の形態】  しかしながら、上述の従来の構成では、番組情報を表のあらかじめ定められた枠内に表示させる為、離散的な配置しかできず表示の自由度が少ないという課題を有している。
本発明はこのような従来の問題点にかんがみてなされたもので、視聴者が所望の番組を簡単に見つけ出すことが可能であり、さらに番組表と比較して、表示の自由度の高い番組情報の表示を可能にした番組情報表示装置を提供することを目的とする。
以下本発明の実施の形態について、図面を参照しながら説明する。
（実施の形態１）
図１は本発明による番組情報表示装置の第１の実施の形態の構成を示すブロック図である。図１に示すごとく本発明の番組情報表示装置は、番組情報格納手段１０１と属性入力手段１０４と番組情報処理手段１０２と番組情報表示手段１０３で構成されている。番組情報格納手段１０１は、番組情報及び番組の属性に対する関連値を数値化した情報を格納する。属性入力手段１０４は、散布図のＸ軸に用いる第１の属性とＹ軸に用いる第２の属性を入力する。番組情報処理手段１０２は、属性入力手段１０４から散布図のＸ軸に用いる第１の属性とＹ軸に用いる第２の属性を取得する。番組情報処理手段１０２は、番組情報格納手段１０１から番組情報の第１の属性に対する関連値、第２の属性に対する関連値及び散布図に表示させる番組情報を取得する。番組情報表示手段１０３は、番組情報処理手段１０２から番組情報及び、第１の属性、第２の属性、第１の属性に対する関連値、第２の属性に対する関連値を取得する。そうして、取得した２つの属性をそれぞれＸ軸、Ｙ軸にした散布図を作成しする。更に、番組情報表示手段１０３は散布図に番組情報及びアイコンをＸ軸の属性に対する値、Ｙ軸の属性に対する値に従った位置に配置し、表示する。
番組情報格納手段１０１に格納される情報は放送波や有線放送、無線通信、有線通信を用いて取得される。属性入力手段１０４に入力される２つの属性は携帯端末や、本発明の番組情報表示装置を具備する機器に備付の入力装置から視聴者により入力される。その携帯端末としては、ＰＤＡ（Ｐｅｒｓｏｎａｌ  Ｄｉｇｉｔａｌ  Ａｓｓｉｓｔａｎｃｅ）、リモコン、携帯電話といったものがある。散布図を表示するモニタはテレビジョン、パソコンモニタや携帯端末に備付のモニタを含む。その携帯端末としては、ＰＤＡやリモコンや携帯電話といったものがある。散布図の軸に用いられる属性の項目には、チャンネル、放送時間や、ＳＦ、恋愛、アクション、スポーツ、ニュースといった番組のジャンルや、視聴率、人気ランキング、洋画、邦画、製作年度等の番組に関連する情報を含む。
図２は番組情報格納手段１０１に格納された番組情報及び番組情報の各属性に対する関連値の例を抜粋して示すデータ構造の一例である。それぞれの番組のチャンネル２０１、タイトル２０２、解説２０３、属性２０４に対する関連値が記録されている。なお、番組情報格納手段１０１に格納されている番組情報や、属性の種類、登録されている番組情報の数は図２に記載されている例に限るものではなく、例えば番組情報にサムネールといった情報を格納してもよい。
図３は番組情報処理手段１０２に格納された散布図に表示させる為の番組情報のデータ構造である。第１の属性３０３、第２の属性３０４は属性入力手段１０４から取得され、番組のチャンネル３０１、タイトル３０２、第１の属性３０３に対する関連値、第２の属性３０４に対する関連値は番組情報格納手段１０１から取得される。図３においては第１の属性３０３は「ＳＦ」、第２の属性３０４は「アクション」が属性入力手段１０４から取得される。各番組情報の第１属性に対する関連値、第２の属性に対する関連値は番組情報格納手段１０１から取得される。例えば図３記載の「エクストラマン」の第１の属性に対する関連値３０３ａは「６０」となり、第２の属性に対する関連値３０４ｂは「４０」となる。なお番組情報のデータ構造は上記に限るものではなく、番組解説、サムネールといった情報も含まれてもよく、属性入力手段１０４により入力される属性の数も２つに限るものではない。
以上のように構成された番組情報表示装置の動作について説明する。視聴者は散布図に表示させたい属性の２つを、第１の属性３０３、第２の属性３０４として番組属性入力手段１０４に入力する。番組情報処理手段１０２は属性入力手段１０４から第１の属性３０３、第２の属性３０４を取得し、番組格納手段１０１からチャンネル３０１、タイトル３０２といった番組情報及び番組情報の第１の属性３０３に対する関連値、第２の属性３０４に対する関連値を取得し、番組情報表示手段１０３に出力する。番組情報表示手段１０３は番組情報処理手段１０２から番組情報及び第１の属性、第２の属性、番組情報の第１の属性に対する関連値、第２の属性に対する関連値を取得する。そうして、第１の属性３０３をＸ軸にし、第２の属性３０４をＹ軸にした散布図を作成する。更に番組情報表示手段１０３は、番組情報の第１の属性３０３に対する関連値をＸ軸の値としてとり、第２の属性３０４に対する関連値をＹ軸の値としてとり、番組情報及びアイコンを各軸の値に従った位置に表示させる。なお散布図に表示させる番組情報の数は一つに限らない。
図４は第１の実施の形態における散布図の表示動作を説明する図である。第１の属性に「ＳＦ」を第２の属性に「アクション」を入力した場合、番組情報表示手段１０３は図４に示すようにＸ軸４０１として「ＳＦ」、Ｙ軸４０２として「アクション」を軸にした散布図を作成する。そうして、番組情報表示エリア４１１にアイコン４２１及び番組情報４２２が番組情報のそれぞれの属性に対する関連値に従った位置に表示される。
このようにして視聴者は、視聴者の所望する２つの属性を２軸にした散布図から番組情報を閲覧することが可能となる。さらに散布図という形態で電子番組ガイドを表示させるため、番組表と比較して離散的な配置の制約のない、自由度の高い番組情報の表示が可能となる。
（実施の形態２）
図５は本発明による番組情報表示装置の第２の実施の形態の構成を示すブロック図である。図５において属性入力手段１０４は本発明の実施の形態１で記した動作の他に、第１の属性の表示範囲、第２の属性の表示範囲を入力する。番組情報表示手段１０３は本発明の実施の形態１で記した動作の他に、属性入力手段１０４から第１の属性の表示範囲、第２の属性の表示範囲を取得する。そうして、番組情報表示手段１０３は散布図を第１の属性の表示範囲をＸ軸の表示範囲として、第２の属性の表示範囲をＹ軸の表示範囲として表示する。この第２の実施の形態において、番組情報表示装置の構成は上記第１の実施の形態と同様である。
以上のように構成された番組情報表示装置の動作について説明する。視聴者は第１の属性及びその表示範囲、第２の属性及びその表示範囲を散布図に表示させたい属性として番組属性入力手段１０４に入力する。番組情報処理手段１０２は属性入力手段１０４から散布図のＸ軸に用いる第１の属性、Ｙ軸に用いる第２の属性を取得する。また、番組情報処理手段１０２は散布図に表示させる番組情報及び番組情報の第１の属性に対する関連値、第２の属性に対する関連値を番組情報格納手段１０１から取得し、番組情報表示手段１０３に出力する。番組情報表示手段１０３は番組情報処理手段１０２から番組情報及び第１の属性、第２の属性、番組情報の第１の属性に対する関連値、第２の属性に対する関連値を取得する。また、番組情報表示手段１０３は属性入力手段１０４から第１の属性の表示範囲、第２の属性の表示範囲を取得する。次に番組情報表示手段１０３は第１の属性をＸ軸にし、第２の属性Ｙ軸にした散布図を作成するが、この時Ｘ軸、Ｙ軸はそれぞれ属性入力手段１０４から入力された第１の属性の表示範囲、第２の属性の表示範囲で表示される。そして、番組情報表示手段１０３は番組情報の第１の属性に対する関連値をＸ軸の値として、第２の属性に対する関連値をＹ軸の値としてとり、アイコン及び番組情報を各軸の値に従った位置に表示させる。
図６は第２の実施の形態における散布図の表示動作を説明する図である。第１の属性に「ＳＦ」、およびその表示範囲に「５０〜１００」を、第２の属性に「アクション」、およびその表示範囲に「５０〜１００」を入力すると、図６に示すように、番組表示手段１０３はＸ軸６０１として「ＳＦ」、Ｙ軸６０２として「アクション」を軸にした散布図を表示する。そうして、番組表示手段１０３は番組情報表示エリア６１１に各番組情報及びアイコンをそれぞれの属性に対する関連値に従った場所に表示させる。ここで表示範囲は「ＳＦ」の軸、「アクション」の軸ともに属性入力手段１０４に入力された表示範囲「５０〜１００」で表示される。なお、散布図に表示させる手順は上記に限るものではなく、例えば第１の属性、第２の属性を入力して散布図を表示させた後に、表示範囲を入力することで、表示範囲を変更させてもよい。
このようにして、視聴者は見たい散布図の範囲を変更して見ることが可能となる。
（実施の形態３）
図７は本発明による番組情報表示装置の第３の実施の形態の構成を示すブロック図である。図７において、属性入力手段１０４は本発明の実施の形態１で記した動作の他に、散布図に表示させる番組情報を制限する閾値に用いる第３の属性、第３の属性の制限値を入力する。番組情報削除手段７０１は属性入力手段１０４から第３の属性、第３の属性の制限値を取得し、番組情報格納手段１０１から番組情報及び番組情報の属性に対する関連値を取得する。番組情報削除手段７０１は、その中で各番組情報の第３の属性の関連値と属性入力手段１０４から入力された第３の属性の制限値を比較する。そうして、番組情報削除手段７０１は、第３の属性の制限値未満である第３の属性の関連値を持つ番組情報及び番組情報の属性に対する関連値は削除し、第３の属性の制限値以上である第３の属性の関連値を持つ番組の番組情報及び番組の属性に対する関連値は格納する。この第３の実施の形態において、番組情報表示装置の他の構成は上記第１の実施の形態と同様である。
以上のように構成された番組情報表示装置の動作について説明する。視聴者は散布図のＸ軸、Ｙ軸として表示させたい２つの属性を第１の属性、第２の属性として番組属性入力手段１０４に入力し、番組情報を表示させる際の閾値として第３の属性、第３の属性の制限値を入力する。番組情報削除手段７０１は属性入力手段１０４から第３の属性、第３の属性の制限値を取得し、番組情報格納手段１０１から番組情報及び番組情報の属性に対する関連値を取得する。次に、番組情報削除手段７０１は番組情報格納手段１０１から取得した属性に対する関連値の中の第３の属性に対する関連値と、属性入力手段１０４から取得した第３の属性の制限値を比較する。そうして、番組情報削除手段７０１は第３の属性に対する関連値が第３の属性の制限値未満の場合は、該当する番組情報及び番組情報の属性に対する関連値を削除する。一方、第３の属性に対する関連値が第３の属性の制限値以上の場合は、該当する番組情報及び番組情報の属性に対する関連値を番組情報削除手段７０１に保存する。番組情報処理手段１０２は属性入力手段１０４から第１の属性、第２の属性を取得し、番組情報削除手段７０１から番組情報及び番組情報の番組情報の第１の属性に対する関連値、第２の属性に対する関連値を取得し、番組情報表示手段１０３に出力する。次に番組情報表示手段１０３は番組情報処理手段１０２から番組情報及び第１の属性、第２の属性、番組情報の第１の属性に対する関連値、第２の属性に対する関連値を取得する。次に番組情報表示手段１０３は第１の属性をＸ軸にし、第２の属性をＹ軸にした散布図を作成し、番組情報の第１の属性に対する関連値をＸ軸の値としてとり、第２の属性に対する関連値をＹ軸の値としてとり、番組情報を散布図の各軸の値に従った場所に表示させる。
図８は第３の実施の形態における散布図の表示動作を説明する図である。ここで番組情報格納手段１０１に格納されているデータ例として図２と同じデータを使用する。視聴者が第１の属性には「ＳＦ」、第２の属性には「アクション」、第３の属性には「視聴率」、第３の属性の制限値には「１０％」を入力した場合、図２に記載されている番組情報の中から視聴率１０％以上の番組情報のみが散布図に表示される。即ち、番組情報格納手段１０１は図８に示すようにＸ軸８０１として「ＳＦ」、Ｙ軸８０２として「アクション」を２軸にとった散布図を作成し、番組情報表示エリア８１１に［映画］「コスモスウォーズ」、［ドラマ］「みんな友達」、［映画］「国分寺サッカー」の３つの番組情報を散布図に表示する。なお、第１の属性、第２の属性、第３の属性及び第３の属性の制限値の入力順序は上記に限るものではない。また、散布図の表示手順は上記に限るものではなく、第１の属性、第２の属性を入力して散布図を表示させた後に、第３の属性及び第３の属性の制限値を入力して、第３の属性の閾値に満たない番組情報を散布図から消去するという手順でもよい。
このように多数の番組情報が表示された散布図から表示される番組情報を絞り込むことで、視聴者はより見やすい散布図をみることができる。
（実施の形態４）
図９は本発明による番組情報表示装置の第４の実施の形態の構成を示すブロック図である。図９において、番組情報数判定手段９０１は番組情報処理手段１０２から番組情報を取得し、散布図に表示される番組情報の数を判定し、判定結果を番組情報処理手段１０２に出力する。番組情報処理手段１０２は本発明の実施の形態１で記した動作の他に、番組情報数判定手段９０１から判定結果を取得し、判定結果を元に番組情報表示手段１０３に出力する番組情報の情報量を決定する。この第４の実施の形態において番組情報表示装置の他の構成は上記第１の実施の形態と同様である。
図１０は番組情報処理手段に格納された番組情報表示手段に出力する番組情報の情報量の設定情報を格納するデータ構造である。例えば、番組情報数の判定結果１００１が「サイズ３」であった場合、アイコン１００２、チャンネル１００３、タイトル１００４、解説１００５、サムネール１００６が番組情報として番組情報表示手段１０３に出力される。ここで判定結果１００１は番組情報数判定手段９０１から取得される。
以上の様に構成された番組情報表示装置の動作について説明する。視聴者は散布図のＸ軸、Ｙ軸に用いる属性を二つ第１の属性、第２の属性として番組属性入力手段１０４に入力する。番組情報処理手段１０２は属性入力手段１０４から第１の属性、第２の属性を取得し、番組情報格納手段１０１から番組情報及び番組情報の第１の属性に対する関連値、第２の属性に対する関連値を取得する。番組情報数判定手段９０１は、番組情報処理手段１０２から番組情報を取得し、番組情報の数を判定し、番組情報数が１０を超える場合には「サイズ１」を選択し、その結果を判定結果として番組情報処理手段１０２に出力する。５以上１０未満の場合には「サイズ２」を選択し、その結果を判定結果として番組情報処理手段１０２に出力する。５未満の場合には「サイズ３」を選択し、その結果を判定結果として番組情報処理手段１０２に出力する。番組情報処理手段１０２は、番組情報表示数判定手段９０１から判定結果を取得し、判定結果１００１が「サイズ１」であった場合にはアイコン１００２、チャンネル１００３、タイトル１００４を散布図に表示する番組情報として番組情報表示手段１０３に出力する。判定結果１００１が「サイズ２」であった場合には、番組情報処理手段１０２はアイコン１００２、チャンネル１００３、タイトル１００４、解説１００５を散布図に表示する番組情報として番組情報表示手段１０３に出力する。判定結果１００１が「サイズ３」であった場合には、番組情報処理手段１０２はアイコン１００２、チャンネル１００３、タイトル１００４、解説１００５、サムネール１００６を散布図に表示する番組情報として番組情報表示手段１０３に出力する。番組情報表示手段１０３は番組情報処理手段１０２から番組情報及び第１の属性、第２の属性、番組情報の第１の属性に対する関連値、第２の属性に対する関連値を取得する。そうして、番組情報表示手段１０３は第１の属性の属性をＸ軸にし、第２の属性をＹ軸にした散布図を作成し、各番組情報を第１の属性、第２の属性に対する関連値に従った位置に表示させる。なお、番組情報数判定手段９０１により決定される判定結果の種類は３つに限るものではない。また、判定結果により番組情報表示手段１０３に出力される番組情報の情報量の分類は図１０に限るものではない。また、番組情報表示手段１０３に表示する番組情報の情報量を決める番組情報数の分岐点は５、１０に限るものではない。
図１１及び図１２は第４の実施の形態における散布図の表示動作を説明する図である。第１の属性に「ＳＦ」を、第２の属性に「アクション」を入力すると、散布図に表示される番組情報の数が１０である場合、図１１に示すように、Ｘ軸１１０１として「ＳＦ」、Ｙ軸１１０２として「アクション」を２軸にとった散布図が作成され表示される。番組情報表示エリア１１１１にはアイコン、番組のチャンネル、タイトルが番組情報として表示される。一方、散布図に表示される番組情報の数が５であった場合には、図１２に示すように、Ｘ軸１２０１として「ＳＦ」、Ｙ軸１２０２として「アクション」を２軸にとった散布図が作成される。アイコン、番組のチャンネル、タイトル、番組解説が番組情報表示エリア１２１１に表示される。
このように、散布図に表示される番組情報の数により、表示させる番組情報の情報量を変化させることで散布図を見やすくすることが可能となる。
なお、以上の説明では番組情報表示数判定手段９０１は散布図に表示される番組情報の数を判定対象としたが、番組情報の数に限らず、散布図が表示する範囲を判定対象として用いてもよい。
（実施の形態５）
図１３は本発明による番組情報表示装置の第５の実施の形態の構成を示すブロック図である。図１３において、属性入力手段１０４は本発明の実施の形態１で記した動作の他に散布図に表示する文字のサイズのパラメータとして用いる第３の属性を入力する。番組情報表示サイズ設定手段１３０１は番組情報処理手段１０２から番組情報及び第１の属性、第２の属性、第３の属性、番組情報の第１の属性に対する関連値、第２の属性に対する関連値に対する関連値、第３の属性に対する関連値を取得する。そうして、番組情報表示サイズ設定手段１３０１は第３の属性の関連値から各番組情報の表示サイズ設定値を決定する。番組情報表示手段１０３は本発明の実施の形態１で記した動作の他に番組情報処理手段１０２から表示サイズ設定値を取得し、該当する番組情報を設定値に従った文字サイズで散布図に表示する。この第５の実施の形態において、番組情報表示装置の他の構成は上記第１の実施の形態と同様である。
以上のように構成された番組情報表示装置の動作について説明する。視聴者は番組属性入力手段１０４に散布図のＸ軸、Ｙ軸として用いる２つの属性を第１の属性、第２の属性として入力し、文字サイズのパラメータとして用いる属性を第３の属性として入力する。番組情報処理手段１０２は属性入力手段１０４から第１の属性、第２の属性、第３の属性を取得し、番組格納手段１０１から番組情報及び番組情報の第１の属性に対する関連値、第２の属性に対する関連値、第３の属性に対する関連値を取得し、番組情報表示サイズ設定手段１３０１に出力する。番組情報表示サイズ設定手段１３０１は番組情報処理手段１０２から番組情報及び第１の属性、第２の属性、第３の属性、番組情報の第１の属性に対する関連値、第２の属性に対する関連値、第３の属性に対する関連値を取得する。そうして、番組情報表示サイズ設定手段１３０１はその中で文字サイズのパラメータとして用いる第３の属性の関連値から散布図に表示させる表示サイズ設定値を決定し、表示サイズ設定値及び番組情報、第１の属性、第２の属性、番組情報の第１の属性に対する関連値、第２の属性に対する関連値を番組情報表示手段１０３に出力する。番組表示手段１０３は表示サイズ設定値及び番組情報、第１の属性、第２の属性、番組情報の第１の属性に対する関連値、第２の属性に対する関連値を取得する。そうして、番組表示手段１０３は第１の属性、第２の属性をＸ軸、Ｙ軸にした散布図を作成し、各番組情報を番組情報の第１の属性に対する関連値、第２の属性に対する関連値に従った場所に、表示サイズ設定値に従った文字の大きさの番組情報を表示させる。なお、番組情報表示サイズ設定手段１３０１により変更される対象は文字の大きさに限らず、散布図に表示させる番組情報の情報量、文字の色、アイコンサイズ、アイコンの形、アイコンの色も含まれる。
図１４は第５の実施の形態における散布図の表示動作を説明する図である。
図１４において、第１の属性に「ＳＦ」を、第２の属性に「アクション」を、第３の属性に「視聴率」を属性入力手段１０４に入力すると、番組情報表示手段１０３はＸ軸１４０１として「ＳＦ」、Ｙ軸１４０２として「アクション」を軸にした散布図を表示する。そうして、番組情報表示手段１０３は番組情報表示エリア１４１１に各番組情報及びアイコンをそれぞれの属性に対する関連値に従った場所に表示させる。その中で「視聴率」は散布図に表示された文字のサイズとして表示される。図１４に示すように、番組情報１４１１ａ（図面内では［映画］「コスモスウォーズ」）の表示サイズは、番組情報１４１１ｂ（図面内では［ドラマ］「みんな友達」）の表示サイズよりも大きいが、これは番組情報１４１１ａの視聴率が番組情報１４１１ｂの視聴率よりも高いことを意味している。
このように視聴者は番組の持つ３つの特性を２次元の散布図で理解することができる。
（実施の形態６）
図１５は本発明による番組情報表示装置の第６の実施の形態の構成を示すブロック図である。図１５において、３次元番組情報表示手段１５０１は番組情報処理手段１０２から番組情報及び番組情報の第１の属性、第２の属性、第３の属性に対する関連値を取得する。そうして、３次元番組情報表示手段１５０１は第１の属性、第２の属性、第３の属性を軸にした３次元の散布図を作成、表示する。この第６の実施の形態において、番組情報表示装置の他の構成は上記第１の実施の形態と同様である。
以上のように構成された番組情報表示装置の動作について説明する。視聴者は散布図の軸に用いる第１の属性、第２の属性、第３の属性を番組属性入力手段１０４に入力する。番組情報処理手段１０２は属性入力手段１０４から第１の属性、第２の属性、第３の属性を取得し、番組情報格納手段１０１から番組情報及び番組情報の第１の属性に対する関連値、第２の属性に対する関連値、第３の属性に対する関連値を取得する。３次元番組表示手段１５０１は番組情報処理手段１０２から番組情報及び番組情報の第１の属性、第２の属性、第３の属性、番組情報の第１の属性に対する関連値、第２の属性に対する関連値、第３の属性に対する関連値を取得する。そうして、３次元番組表示手段１５０１は第１の属性、第２の属性、第３の属性をそれぞれＸ軸、Ｙ軸、Ｚ軸にした３次元散布図を作成する。そうして、３次元番組表示手段１５０１は番組情報を番組情報の第１の属性に対する関連値、第２の属性に対する関連値、第３の属性に対する関連値に従った位置に表示させる。
図１６は第６の実施の形態における散布図の表示動作を説明する図である。第１の属性に「ＳＦ」を、第２の属性に「アクション」を第３の属性に「視聴率」を入力した場合、図１６に示すように、番組情報表示手段１０３はＸ軸１６０１として「ＳＦ」、Ｙ軸１６０２として「アクション」、Ｚ軸１６０３として「視聴率」を軸にした３次元散布図を作成し、番組情報表示エリア１６１１に各番組情報をそれぞれの属性に対する関連値に従った場所に表示させる。視聴率は散布図に表示された縦棒の長さで表示される。
このように情報が３次元表示されるので、番組の持つ３つの特性を一目で理解することができる。
（実施の形態７）
図１７は本発明による番組情報表示装置の第７の実施の形態の構成を示すブロック図である。図１７において、チャンネル割り当て手段１７０１は番組情報処理手段１０２から番組情報及び番組情報の第１の属性に対する関連値、第２の属性に対する関連値を取得する。そうしてチャンネル割り当て手段１７０１は、第１の属性に対する関連と第２の属性に対する関連値を合算し、合算値の高い番組情報から降順に仮想チャンネルを割り当て、その結果を番組情報処理手段１０２に出力する。番組情報処理手段１０２は本発明の実施の形態１で記載された機能の他に、チャンネル割り当て手段１７０１から仮想チャンネルを取得し、番組情報格納手段１０１から取得した番組情報に仮想チャンネルを入力し、番組情報及び第１の属性、第２の属性、第１の属性に対する関連値、第２の属性に対する関連値を番組情報表示手段１０３に出力する。さらに番組情報処理手段１０２が属性入力手段１０４から仮想チャンネルと同じ番号が入力された場合、格納してある番組情報を参照して正規のチャンネルに変換して番組表示させる。この第７の実施の形態において、番組情報表示装置の他の構成は上記第１の実施の形態と同様である。
図１８は番組情報処理手段１０２に格納された散布図に表示させる為の番組情報のデータ構造である。番組のチャンネル１８０２、タイトル１８０３、第１の属性１８０４の関連値、第２の属性１８０５の関連値は番組情報格納手段１０１から取得される。仮想チャンネル１８０１はチャンネル割り当て手段１７０１から取得される。
以上のように構成された番組情報表示装置の動作について説明する。視聴者は散布図に表示させたい２つの属性を第１の属性、第２の属性として番組属性入力手段１０４を通じて番組情報処理手段１０２に入力する。番組情報処理手段１０２は属性入力手段１０４から第１の属性、第２の属性を取得し、番組情報格納手段１０１から番組情報及び番組情報の第１の属性に対する関連値、第２の属性に対する関連値を取得する。次にチャンネル割り当て手段１７０１は番組情報処理手段１０２から番組情報及び番組情報の第１の属性に対する関連値、第２の属性に対する関連値を取得する。そうして、チャンネル割り当て手段１７０１はそれぞれの番組情報の第１の属性に対する関連値、第２の属性に対する関連値を合算し、その合算値の高い番組情報から降順に仮想チャンネルを割り当て、その結果を番組情報処理手段１０２に出力する。番組情報処理手段１０２はチャンネル割り当て手段１７０１から仮想チャンネルを取得し、図１８に記載されるように番組情報の仮想チャンネル１８０１に入力する。番組情報表示手段１０３は番組情報処理手段１０２から番組情報及び番組情報の第１の属性に対する関連値、第２の属性に対する関連値を取得し、第１の属性１８０４、第２の属性１８０５を軸にした散布図を表示する。そうして、番組情報表示手段１０３は割り当てられた仮想チャンネル１８０１、チャンネル１８０２、タイトル１８０３を第１の属性１８０４の関連値と第２の属性１８０５の関連値に従った位置に表示する。次に視聴者が属性入力手段１０４を通じて情報処理手段１０２に仮想チャンネル１８０１と同じ値を入力した場合、番組情報処理手段１０２は番組情報を参照して、仮想チャンネル１８０１に対応したチャンネル１８０２に変換して、番組を表示させる。例えば図１８において「４」が入力された場合、番組情報処理手段１０２にて「ＣＳ６４」に変換され、［ドラマ］「みんな友達」が番組選択される。
図１９は第７の実施の形態における散布図の表示動作を説明する図である。第１の属性に「ＳＦ」を、第２の属性に「アクション」を入力した場合、図１９に示す通り番組表示手段１０３はＸ軸１９０１として「ＳＦ」を、Ｙ軸１９０２として「アクション」を座標軸とした散布図を作成する。そうして、番組表示手段１０３は番組情報表示エリア１９１１に番組情報を番組情報のそれぞれの属性に対する関連値に従った場所に表示させる。その際、各番組の「ＳＦ」、「アクション」の関連値の合算した値の高い順に仮想チャンネル１９２１が表示される。ここで例えば視聴者が［映画］「国分寺サッカー」を見たい場合、リモコンの「３」を押すことで、番組を視聴することができる。なお、番組情報と仮想チャンネルの組み合わせは一定時間、もしくはＴＶの電源が切れるまで、またはその番組情報に対応する番組が終了するまで保持していてもよい。また、番組情報と仮想チャンネルの組み合わせの数に上限を設けてもよい。また、仮想チャンネルの割り当ては関連値の合算した値の高い順に割り当てるものに限られない。
このようにして視聴者は散布図に表示された番組情報と仮想チャンネルを見て、仮想チャンネルと同じ数字をリモコンで入力することで、番組を選択することが可能になる。これにより視聴者は番組を選択する際、煩雑な作業を伴う事なく、番組を視聴することが可能となる。
以上のように、本発明の番組情報表示装置により、視聴者は任意の属性を番組情報を表示する散布図の軸に用いた電子番組ガイドを利用する事が可能となり、所望の番組を簡単にみつけだすことが可能となる。更に散布図という形で番組情報を表示させることにより、番組表と比較して離散的な配置の制約のない、自由度の高い番組情報の表示が可能な電子番組ガイドを提供することができる。
【産業上の利用可能性】  本発明による番組情報表示装置は番組情報を表示する散布図の軸として任意の属性を用いた電子番組ガイドを利用する事が可能で、所望の番組を簡単にみつけだすことが可能となる。更に、本発明による番組情報表示装置は散布図という形で番組情報を表示させることにより、離散的な配置の制約のない、自由度の高い番組情報の表示が可能な電子番組ガイドを提供することができる。
【図１】
2004107748.tif 000003
【図２】
2004107748.tif 000004
【図３】
2004107748.tif 000005
【図４】
2004107748.tif 000006
【図５】
2004107748.tif 000007
【図６】
2004107748.tif 000008
【図７】
2004107748.tif 000009
【図８】
2004107748.tif 000010
【図９】
2004107748.tif 000011
【図１０】
2004107748.tif 000012
【図１１】
2004107748.tif 000013
【図１２】
2004107748.tif 000014
【図１３】
2004107748.tif 000015
【図１４】
2004107748.tif 000016
【図１５】
2004107748.tif 000017
【図１６】
2004107748.tif 000018
【図１７】
2004107748.tif 000019
【図１８】
2004107748.tif 000020
【図１９】
2004107748.tif 000021
【手続補正書】
【提出日】平成17年9月15日(2005.9.15)
【手続補正１】
【補正対象書類名】特許請求の範囲
【補正対象項目名】全文
【補正方法】変更
【補正の内容】
【特許請求の範囲】
【請求項１】
番組に関連する少なくとも２つの属性の中から視聴者が任意に選んだ２つの属性をそれぞれＸ軸とＹ軸にとり、番組情報を前記Ｘ軸の属性に対する関連値と前記Ｙ軸の属性に対する関連値に従った位置に配置した散布図を表示する番組情報表示装置であって、
番組情報格納手段と、
番組情報処理手段と、
番組情報表示手段と、
属性入力手段と
を備え、
前記番組情報格納手段は少なくとも１つの前記番組情報と前記番組情報の少なくとも２つの前記属性に対する関連度を数値化した前記関連値を格納し、
前記属性入力手段は前記散布図の前記Ｘ軸として用いられる第１の属性と前記Ｙ軸として用いられる第２の属性を入力し、
前記番組情報処理手段は前記属性入力手段から前記第１の属性と前記第２の属性を取得し、前記番組情報格納手段から前記番組情報と前記第１の属性に対する関連値と前記第２の属性に対する関連値を取得し、
前記番組情報表示手段は前記番組情報処理手段から前記番組情報と前記第１の属性と前記第２の属性と前記第１の属性に対する関連値と前記第２の属性に対する関連値を取得し、前記第１の属性と前記第２の属性をそれぞれ前記散布図の前記Ｘ軸と前記Ｙ軸としてとり、前記番組情報を前記散布図の前記第１の属性に対する関連値と前記第２の属性に対する関連値に従った位置に表示する
番組情報表示装置。
【請求項２】
前記番組情報表示手段は前記番組情報に加えてアイコンを前記番組情報の前記Ｘ軸に対する関連値と前記Ｙ軸に対する関連値に従った位置に配置する散布図を表示する
請求項１記載の番組情報表示装置。
【請求項３】
前記属性は番組に関連する情報であって、チャンネル、放送時間、ジャンル、視聴率を含む情報である請求項１記載の番組情報表示装置。
【請求項４】
前記番組情報格納手段に格納されている前記番組情報はサムネールを含む請求項１記載の番組情報表示装置。
【請求項５】
前記属性入力手段は前記第１の属性の表示範囲と前記第２の属性の表示範囲を更に入力し、
前記番組情報表示手段は前記属性入力手段から前記第１の属性の表示範囲と前記第２の属性の表示範囲を更に取得し、前記第１の属性と前記第２の属性をそれぞれ前記散布図の前記Ｘ軸と前記Ｙ軸としてとり、前記Ｘ軸の表示範囲を前記第１の属性の表示範囲で表示し、前記Ｙ軸の表示範囲を前記第２の属性の表示範囲で表示し、前記番組情報を前記散布図の前記第１の属性に対する関連値と前記第２の属性に対する関連値に従った位置に表示する
請求項１、２、３または４記載の番組情報表示装置。
【請求項６】
番組情報削除手段を更に備え、
前記番組情報格納手段は少なくとも１つの番組情報と前記番組情報の少なくとも３つの属性に対する関連値を格納し、
前記属性入力手段は第３の属性及び前記第３の属性の制限値を前記散布図に前記番組情報を表示させる際の閾値として更に入力し、
前記番組情報削除手段は前記属性入力手段から前記第３の属性及び前記第３の属性の制限値を取得し、前記番組情報格納手段から前記番組情報及び前記番組情報の少なくとも３つの属性に対する関連値を取得し、前記番組情報の少なくとも３つの属性に対する関連値の中の前記第３の属性に対する関連値と前記第３の属性の制限値を比較し、前記第３の属性に対する関連値が前記第３の属性の制限値未満の場合は前記番組情報及び前記番組情報の少なくとも３つの属性に対する関連値を削除し、前記第３の属性に対する関連値が前記第３の属性の制限値以上の場合は前記番組情報及び前記番組情報の少なくとも３つの属性に対する関連値を保存し、
前記番組情報処理手段は前記属性入力手段から前記第１の属性と前記第２の属性を取得し、前記番組情報削除手段に保存された前記番組情報及び前記番組情報の少なくとも３つの属性に対する関連値の中から前記番組情報及び前記第１の属性に対する関連値と前記第２の属性に対する関連値を取得することで、前記第３の属性の制限値未満の前記第３の属性に対する関連値を持つ番組情報を前記散布図に表示させない
請求項１、２、３または４記載の番組情報表示装置。
【請求項７】
番組情報数判定手段を更に備え、
前記番組情報数判定手段は前記番組情報処理手段から番組情報を取得し、前記番組情報の数を判定し、その判定結果を前記番組情報処理手段に出力し、
前記番組情報処理手段は前記番組情報数判定手段から前記判定結果を取得し、前記判定結果をもとに前記番組情報表示手段に出力する番組情報の情報量を決定することで前記散布図に表示される前記番組情報の数により前記番組情報を表示する情報量を変化させる
請求項１、２、３または４記載の番組情報表示装置。
【請求項８】
番組情報数判定手段を更に備え、
前記番組情報数判定手段は番組散布図の表示範囲を判定し、その判定結果を前記番組情報処理手段に出力し、
前記番組情報処理手段は前記番組情報数判定手段から前記判定結果を取得し、前記判定結果をもとに前記番組情報表示手段に出力する番組情報の情報量を決定することで前記散布図に表示される前記番組情報の数により前記番組情報を表示する情報量を変化させる
請求項１、２、３または４記載の番組情報表示装置。
【請求項９】
番組情報表示サイズ設定手段を更に備え、
前記番組情報格納手段は少なくとも１つの番組情報と前記番組情報の少なくとも３つの属性に対する関連値を格納し、
前記属性入力手段は第３の属性を更に入力し、
前記番組情報処理手段は前記属性入力手段から前記第１の属性と前記第２の属性と前記第３の属性を取得し、前記番組情報格納手段から前記番組情報及び前記第１の属性に対する関連値と前記第２の属性に対する関連値と前記第３の属性に対する関連値を取得し、
前記番組情報表示サイズ設定手段は番組情報処理手段から前記番組情報及び前記第１の属性と前記第２の属性と前記第３の属性と前記第１の属性に対する関連値と前記第２の属性に対する関連値と前記第３の属性に対する関連値を取得し、前記第３の属性に対する関連値から前記散布図に表示させる番組情報の文字の表示サイズ設定値を決定し、
前記番組情報表示手段は前記番組情報表示サイズ設定手段から前記番組情報及び前記第１の属性と前記第２の属性と前記第１の属性に対する関連値と前記第２の属性に対する関連値と前記表示サイズ設定値を取得し、前記第１の属性と前記第２の属性をそれぞれ前記散布図のＸ軸とＹ軸としてとり、前記番組情報を前記番組情報の前記第１の属性に対する関連値と前記第２の属性に対する関連値に従った位置に、前記表示サイズ設定値に従った文字の大きさで表示する
請求項１、２、３または４記載の番組情報表示装置。
【請求項１０】
番組情報表示サイズ設定手段を更に備え、
前記番組情報格納手段は少なくとも１つの番組情報と前記番組情報の少なくとも３つの属性に対する関連値を格納し、
前記属性入力手段は第３の属性を更に入力し、
前記番組情報処理手段は前記属性入力手段から前記第１の属性と前記第２の属性と前記第３の属性を取得し、前記番組情報格納手段から前記番組情報及び前記第１の属性に対する関連値と前記第２の属性に対する関連値と前記第３の属性に対する関連値を取得し、
前記番組情報表示サイズ設定手段は番組情報処理手段から前記番組情報及び前記第１の属性と前記第２の属性と前記第３の属性と前記第１の属性に対する関連値と前記第２の属性に対する関連値と前記第３の属性に対する関連値を取得し、前記第３の属性に対する関連値から前記散布図に表示させる番組情報の文字の表示サイズ設定値を決定し、
前記番組情報表示手段は前記番組情報表示サイズ設定手段から前記番組情報及び前記第１の属性と前記第２の属性と前記第１の属性に対する関連値と前記第２の属性に対する関連値と前記表示サイズ設定値を取得し、前記第１の属性と前記第２の属性をそれぞれ前記散布図のＸ軸とＹ軸としてとり、前記番組情報を前記番組情報の前記第１の属性に対する関連値と前記第２の属性に対する関連値に従った位置に、アイコンの大きさを表示サイズ設定値に従った大きさで表示する
請求項１、２、３または４記載の番組情報表示装置。
【請求項１１】
前記番組情報表示手段は３次元表示をする３次元番組情報表示手段であり、
前記番組情報格納手段は少なくとも１つの番組情報と前記番組情報の少なくとも３つの属性に対する関連値を格納し、
前記属性入力手段は第３の属性を３次元で表示される散布図のＺ軸として更に入力し、
前記番組情報処理手段は前記属性入力手段から前記第１の属性と前記第２の属性と前記第３の属性を取得し、前記番組情報格納手段から前記番組情報及び前記番組情報の前記第１の属性に対する関連値と前記第２の属性に対する関連値と前記第３の属性に対する関連値を取得し、
前記３次元番組情報表示手段は前記番組情報処理手段から番組情報及び前記第１の属性と前記第２の属性と前記第３の属性と前記第１の属性に対する関連値と前記第２の属性に対する関連値と前記第３の属性に対する関連値を取得し、前記第１の属性と前記第２の属性と前記第３の属性をそれぞれ３次元で表示する散布図のＸ軸とＹ軸と前記Ｚ軸としてとり、前記番組情報を前記番組情報の前記第１の属性に対する関連値と前記第２の属性に対する関連値と前記第３の属性に対する関連値に従った位置に表示する
請求項１、２、３または４記載の番組情報表示装置。
【請求項１２】
チャンネル割り当て手段を更に備え
前記番組情報処理手段は前記属性入力手段から第１の属性と第２の属性を取得し、前記番組情報格納手段から番組情報及び前記番組情報の前記第１の属性に対する関連値と前記第２の属性に対する関連値を取得し、
前記チャンネル割り当て手段は前記番組情報処理手段から前記番組情報及び前記番組情報の前記第１の属性に対する関連値と前記第２の属性に対する関連値を取得し、前記関連値から前記番組情報に割り当てる仮想チャンネルを決定し、
前記番組情報処理手段は前記チャンネル割り当て手段から前記仮想チャンネルを取得し、
前記番組情報表示手段は前記番組情報処理手段から前記番組情報と前記番組情報の前記仮想チャンネルと前記第１の属性と前記第２の属性と前記第１の属性に対する関連値と前記第２の属性に対する関連値を取得し、前記第１の属性と前記第２の属性をそれぞれ散布図のＸ軸とＹ軸としてとり、前記番組情報及び前記仮想チャンネルを前記第１の属性に対する関連値と前記第２の属性に対する関連値に従った場所に表示する
請求項１、２、３または４記載の番組情報表示装置。
【請求項１３】
前記チャンネル割り当て手段は番組情報の前記第１の属性に対する関連値と前記第２の属性に対する関連値を合算した値を合算値としてとり、前記合算値の高い番組情報から昇順もしくは降順で割り当てる仮想チャンネルを決定する
請求項１２記載の番組情報表示装置。
【請求項１４】
前記番組情報処理手段は番組情報と割り当てられた前記仮想チャンネルの組み合わせを設定された条件を満たすまで保持する
請求項１２記載の番組情報表示装置。
【請求項１５】
前記番組情報処理手段は番組情報と割り振られた前記仮想チャンネルの組み合わせを一定時間保持する
請求項１４記載の番組情報表示装置。
【請求項１６】
前記番組情報処理手段は番組情報と割り振られた前記仮想チャンネルの組み合わせを電源が切れるまで保持する
請求項１４記載の番組情報表示装置。
【請求項１７】
前記番組情報処理手段は番組情報と割り振られた前記仮想チャンネルの組み合わせを一定数保持する
請求項１４記載の番組情報表示装置。
【請求項１８】
前記番組情報処理手段は番組情報と割り振られた前記仮想チャンネルの組み合わせを前記番組情報に対応する番組が終了するまで保持する
請求項１４記載の番組情報表示装置。
【請求項１９】
前記属性入力手段は、視聴者が番組を選択する際に、前記番組情報表示手段に表示された仮想チャンネルと同じチャンネルを入力し、
前記番組情報処理手段は前記属性入力手段から前記チャンネルを取得し、前記仮想チャンネルに対応する正規のチャンネルを前記番組情報から取得し、前記正規のチャンネルを用いて前記番組を画面に表示する
請求項１２記載の番組情報表示装置。
【手続補正２】
【補正対象書類名】明細書
【補正対象項目名】全文
【補正方法】変更
【補正の内容】
【書類名】明細書
【技術分野】
【０００１】
本発明は電子番組ガイド（ＥＰＧ：Ｅｌｅｃｔｒｏｎｉｃ  Ｐｒｏｇｒａｍ  Ｇｕｉｄｅ）を提供する番組情報表示装置に関するものである。
【背景技術】
【０００２】
近年放送される番組の数は衛星放送や地上波放送、有線放送等の発達により増加の傾向にあり、同一の受像機で視聴できる番組の数は増えてくるものと予想される。このように多チャンネル化が進んでいる中で、視聴者が所望の番組を簡単にみつけだすのは困難になりつつある。
【０００３】
このような中で番組情報を効率的に分かりやすく視聴者へ提供するための従来技術としては、番組情報を格納する番組情報格納手段と、各番組情報に付与された属性のうち、２つの属性に応じて番組表をＸ軸、Ｙ軸にしたがって２次元表示する番組表表示手段とを備えた構成とし、自由な属性をＸ軸、Ｙ軸として番組を２次元表示する番組表を作成するという番組情報処理装置がある。このような従来技術は、例えば特開平１１−２５５４１号公報に開示されている。
【発明の開示】
【０００４】
番組情報表示装置は
番組に関連する少なくとも２つの属性の中から視聴者が任意に選んだ２つの属性をそれぞれＸ軸とＹ軸にとり、番組情報をＸ軸の属性に対する関連値とＹ軸の属性に対する関連値に従った位置に配置した散布図を表示する番組情報表示装置であって、
番組情報格納手段と、
番組情報処理手段と、
番組情報表示手段と、
属性入力手段と
を備え、
番組情報格納手段は少なくとも１つの番組情報と番組情報の少なくとも２つの属性に対する関連度を数値化した関連値を格納し、
属性入力手段は散布図のＸ軸として用いられる第１の属性とＹ軸として用いられる第２の属性を入力し、
番組情報処理手段は属性入力手段から第１の属性と第２の属性を取得し、番組情報格納手段から番組情報及び第１の属性に対する関連値と第２の属性に対する関連値を取得し、
番組情報表示手段は番組情報処理手段から番組情報及び第１の属性と第２の属性と第１の属性に対する関連値と第２の属性に対する関連値を取得し、第１の属性と第２の属性をそれぞれ散布図のＸ軸とＹ軸としてとり、番組情報を散布図の第１の属性に対する関連値と第２の属性に対する関連値に従った位置に表示する。
【発明の効果】
【０００５】
本発明による番組情報表示装置は番組情報を表示する散布図の軸として任意の属性を用いた電子番組ガイドを利用する事が可能で、所望の番組を簡単にみつけだすことが可能となる。更に、本発明による番組情報表示装置は散布図という形で番組情報を表示させることにより、離散的な配置の制約のない、自由度の高い番組情報の表示が可能な電子番組ガイドを提供することができる。
【発明を実施するための最良の形態】
【０００６】
しかしながら、上述の従来の構成では、番組情報を表のあらかじめ定められた枠内に表示させる為、離散的な配置しかできず表示の自由度が少ないという課題を有している。
【０００７】
本発明はこのような従来の問題点にかんがみてなされたもので、視聴者が所望の番組を簡単に見つけ出すことが可能であり、さらに番組表と比較して、表示の自由度の高い番組情報の表示を可能にした番組情報表示装置を提供することを目的とする。
【０００８】
以下本発明の実施の形態について、図面を参照しながら説明する。
【０００９】
（実施の形態１）
図１は本発明による番組情報表示装置の第１の実施の形態の構成を示すブロック図である。図１に示すごとく本発明の番組情報表示装置は、番組情報格納手段１０１と属性入力手段１０４と番組情報処理手段１０２と番組情報表示手段１０３で構成されている。番組情報格納手段１０１は、番組情報及び番組の属性に対する関連値を数値化した情報を格納する。属性入力手段１０４は、散布図のＸ軸に用いる第１の属性とＹ軸に用いる第２の属性を入力する。番組情報処理手段１０２は、属性入力手段１０４から散布図のＸ軸に用いる第１の属性とＹ軸に用いる第２の属性を取得する。番組情報処理手段１０２は、番組情報格納手段１０１から番組情報の第１の属性に対する関連値、第２の属性に対する関連値及び散布図に表示させる番組情報を取得する。番組情報表示手段１０３は、番組情報処理手段１０２から番組情報及び、第１の属性、第２の属性、第１の属性に対する関連値、第２の属性に対する関連値を取得する。そうして、取得した２つの属性をそれぞれＸ軸、Ｙ軸にした散布図を作成しする。更に、番組情報表示手段１０３は散布図に番組情報及びアイコンをＸ軸の属性に対する値、Ｙ軸の属性に対する値に従った位置に配置し、表示する。
【００１０】
番組情報格納手段１０１に格納される情報は放送波や有線放送、無線通信、有線通信を用いて取得される。属性入力手段１０４に入力される２つの属性は携帯端末や、本発明の番組情報表示装置を具備する機器に備付の入力装置から視聴者により入力される。その携帯端末としては、ＰＤＡ（Ｐｅｒｓｏｎａｌ  Ｄｉｇｉｔａｌ  Ａｓｓｉｓｔａｎｃｅ）、リモコン、携帯電話といったものがある。散布図を表示するモニタはテレビジョン、パソコンモニタや携帯端末に備付のモニタを含む。その携帯端末としては、ＰＤＡやリモコンや携帯電話といったものがある。散布図の軸に用いられる属性の項目には、チャンネル、放送時間や、ＳＦ、恋愛、アクション、スポーツ、ニュースといった番組のジャンルや、視聴率、人気ランキング、洋画、邦画、製作年度等の番組に関連する情報を含む。
【００１１】
図２は番組情報格納手段１０１に格納された番組情報及び番組情報の各属性に対する関連値の例を抜粋して示すデータ構造の一例である。それぞれの番組のチャンネル２０１、タイトル２０２、解説２０３、属性２０４に対する関連値が記録されている。なお、番組情報格納手段１０１に格納されている番組情報や、属性の種類、登録されている番組情報の数は図２に記載されている例に限るものではなく、例えば番組情報にサムネールといった情報を格納してもよい。
【００１２】
図３は番組情報処理手段１０２に格納された散布図に表示させる為の番組情報のデータ構造である。第１の属性３０３、第２の属性３０４は属性入力手段１０４から取得され、番組のチャンネル３０１、タイトル３０２、第１の属性３０３に対する関連値、第２の属性３０４に対する関連値は番組情報格納手段１０１から取得される。図３においては第１の属性３０３は「ＳＦ」、第２の属性３０４は「アクション」が属性入力手段１０４から取得される。各番組情報の第１属性に対する関連値、第２の属性に対する関連値は番組情報格納手段１０１から取得される。例えば図３記載の「エクストラマン」の第１の属性に対する関連値３０３ａは「６０」となり、第２の属性に対する関連値３０４ｂは「４０」となる。なお番組情報のデータ構造は上記に限るものではなく、番組解説、サムネールといった情報も含まれてもよく、属性入力手段１０４により入力される属性の数も２つに限るものではない。
【００１３】
以上のように構成された番組情報表示装置の動作について説明する。視聴者は散布図に表示させたい属性の２つを、第１の属性３０３、第２の属性３０４として番組属性入力手段１０４に入力する。番組情報処理手段１０２は属性入力手段１０４から第１の属性３０３、第２の属性３０４を取得し、番組格納手段１０１からチャンネル３０１、タイトル３０２といった番組情報及び番組情報の第１の属性３０３に対する関連値、第２の属性３０４に対する関連値を取得し、番組情報表示手段１０３に出力する。番組情報表示手段１０３は番組情報処理手段１０２から番組情報及び第１の属性、第２の属性、番組情報の第１の属性に対する関連値、第２の属性に対する関連値を取得する。そうして、第１の属性３０３をＸ軸にし、第２の属性３０４をＹ軸にした散布図を作成する。更に番組情報表示手段１０３は、番組情報の第１の属性３０３に対する関連値をＸ軸の値としてとり、第２の属性３０４に対する関連値をＹ軸の値としてとり、番組情報及びアイコンを各軸の値に従った位置に表示させる。なお散布図に表示させる番組情報の数は一つに限らない。
【００１４】
図４は第１の実施の形態における散布図の表示動作を説明する図である。第１の属性に「ＳＦ」を第２の属性に「アクション」を入力した場合、番組情報表示手段１０３は図４に示すようにＸ軸４０１として「ＳＦ」、Ｙ軸４０２として「アクション」を軸にした散布図を作成する。そうして、番組情報表示エリア４１１にアイコン４２１及び番組情報４２２が番組情報のそれぞれの属性に対する関連値に従った位置に表示される。
【００１５】
このようにして視聴者は、視聴者の所望する２つの属性を２軸にした散布図から番組情報を閲覧することが可能となる。さらに散布図という形態で電子番組ガイドを表示させるため、番組表と比較して離散的な配置の制約のない、自由度の高い番組情報の表示が可能となる。
【００１６】
（実施の形態２）
図５は本発明による番組情報表示装置の第２の実施の形態の構成を示すブロック図である。図５において属性入力手段１０４は本発明の実施の形態１で記した動作の他に、第１の属性の表示範囲、第２の属性の表示範囲を入力する。番組情報表示手段１０３は本発明の実施の形態１で記した動作の他に、属性入力手段１０４から第１の属性の表示範囲、第２の属性の表示範囲を取得する。そうして、番組情報表示手段１０３は散布図を第１の属性の表示範囲をＸ軸の表示範囲として、第２の属性の表示範囲をＹ軸の表示範囲として表示する。この第２の実施の形態において、番組情報表示装置の構成は上記第１の実施の形態と同様である。
【００１７】
以上のように構成された番組情報表示装置の動作について説明する。視聴者は第１の属性及びその表示範囲、第２の属性及びその表示範囲を散布図に表示させたい属性として番組属性入力手段１０４に入力する。番組情報処理手段１０２は属性入力手段１０４から散布図のＸ軸に用いる第１の属性、Ｙ軸に用いる第２の属性を取得する。また、番組情報処理手段１０２は散布図に表示させる番組情報及び番組情報の第１の属性に対する関連値、第２の属性に対する関連値を番組情報格納手段１０１から取得し、番組情報表示手段１０３に出力する。番組情報表示手段１０３は番組情報処理手段１０２から番組情報及び第１の属性、第２の属性、番組情報の第１の属性に対する関連値、第２の属性に対する関連値を取得する。また、番組情報表示手段１０３は属性入力手段１０４から第１の属性の表示範囲、第２の属性の表示範囲を取得する。次に番組情報表示手段１０３は第１の属性をＸ軸にし、第２の属性Ｙ軸にした散布図を作成するが、この時Ｘ軸、Ｙ軸はそれぞれ属性入力手段１０４から入力された第１の属性の表示範囲、第２の属性の表示範囲で表示される。そして、番組情報表示手段１０３は番組情報の第１の属性に対する関連値をＸ軸の値として、第２の属性に対する関連値をＹ軸の値としてとり、アイコン及び番組情報を各軸の値に従った位置に表示させる。
【００１８】
図６は第２の実施の形態における散布図の表示動作を説明する図である。第１の属性に「ＳＦ」、およびその表示範囲に「５０〜１００」を、第２の属性に「アクション」、およびその表示範囲に「５０〜１００」を入力すると、図６に示すように、番組表示手段１０３はＸ軸６０１として「ＳＦ」、Ｙ軸６０２として「アクション」を軸にした散布図を表示する。そうして、番組表示手段１０３は番組情報表示エリア６１１に各番組情報及びアイコンをそれぞれの属性に対する関連値に従った場所に表示させる。ここで表示範囲は「ＳＦ」の軸、「アクション」の軸ともに属性入力手段１０４に入力された表示範囲「５０〜１００」で表示される。なお、散布図に表示させる手順は上記に限るものではなく、例えば第１の属性、第２の属性を入力して散布図を表示させた後に、表示範囲を入力することで、表示範囲を変更させてもよい。
【００１９】
このようにして、視聴者は見たい散布図の範囲を変更して見ることが可能となる。
【００２０】
（実施の形態３）
図７は本発明による番組情報表示装置の第３の実施の形態の構成を示すブロック図である。図７において、属性入力手段１０４は本発明の実施の形態１で記した動作の他に、散布図に表示させる番組情報を制限する閾値に用いる第３の属性、第３の属性の制限値を入力する。番組情報削除手段７０１は属性入力手段１０４から第３の属性、第３の属性の制限値を取得し、番組情報格納手段１０１から番組情報及び番組情報の属性に対する関連値を取得する。番組情報削除手段７０１は、その中で各番組情報の第３の属性の関連値と属性入力手段１０４から入力された第３の属性の制限値を比較する。そうして、番組情報削除手段７０１は、第３の属性の制限値未満である第３の属性の関連値を持つ番組情報及び番組情報の属性に対する関連値は削除し、第３の属性の制限値以上である第３の属性の関連値を持つ番組の番組情報及び番組の属性に対する関連値は格納する。この第３の実施の形態において、番組情報表示装置の他の構成は上記第１の実施の形態と同様である。
【００２１】
以上のように構成された番組情報表示装置の動作について説明する。視聴者は散布図のＸ軸、Ｙ軸として表示させたい２つの属性を第１の属性、第２の属性として番組属性入力手段１０４に入力し、番組情報を表示させる際の閾値として第３の属性、第３の属性の制限値を入力する。番組情報削除手段７０１は属性入力手段１０４から第３の属性、第３の属性の制限値を取得し、番組情報格納手段１０１から番組情報及び番組情報の属性に対する関連値を取得する。次に、番組情報削除手段７０１は番組情報格納手段１０１から取得した属性に対する関連値の中の第３の属性に対する関連値と、属性入力手段１０４から取得した第３の属性の制限値を比較する。そうして、番組情報削除手段７０１は第３の属性に対する関連値が第３の属性の制限値未満の場合は、該当する番組情報及び番組情報の属性に対する関連値を削除する。一方、第３の属性に対する関連値が第３の属性の制限値以上の場合は、該当する番組情報及び番組情報の属性に対する関連値を番組情報削除手段７０１に保存する。番組情報処理手段１０２は属性入力手段１０４から第１の属性、第２の属性を取得し、番組情報削除手段７０１から番組情報及び番組情報の番組情報の第１の属性に対する関連値、第２の属性に対する関連値を取得し、番組情報表示手段１０３に出力する。次に番組情報表示手段１０３は番組情報処理手段１０２から番組情報及び第１の属性、第２の属性、番組情報の第１の属性に対する関連値、第２の属性に対する関連値を取得する。次に番組情報表示手段１０３は第１の属性をＸ軸にし、第２の属性をＹ軸にした散布図を作成し、番組情報の第１の属性に対する関連値をＸ軸の値としてとり、第２の属性に対する関連値をＹ軸の値としてとり、番組情報を散布図の各軸の値に従った場所に表示させる。
【００２２】
図８は第３の実施の形態における散布図の表示動作を説明する図である。ここで番組情報格納手段１０１に格納されているデータ例として図２と同じデータを使用する。視聴者が第１の属性には「ＳＦ」、第２の属性には「アクション」、第３の属性には「視聴率」、第３の属性の制限値には「１０％」を入力した場合、図２に記載されている番組情報の中から視聴率１０％以上の番組情報のみが散布図に表示される。即ち、番組情報格納手段１０１は図８に示すようにＸ軸８０１として「ＳＦ」、Ｙ軸８０２として「アクション」を２軸にとった散布図を作成し、番組情報表示エリア８１１に［映画］「コスモスウォーズ」、［ドラマ］「みんな友達」、［映画］「国分寺サッカー」の３つの番組情報を散布図に表示する。なお、第１の属性、第２の属性、第３の属性及び第３の属性の制限値の入力順序は上記に限るものではない。また、散布図の表示手順は上記に限るものではなく、第１の属性、第２の属性を入力して散布図を表示させた後に、第３の属性及び第３の属性の制限値を入力して、第３の属性の閾値に満たない番組情報を散布図から消去するという手順でもよい。
【００２３】
このように多数の番組情報が表示された散布図から表示される番組情報を絞り込むことで、視聴者はより見やすい散布図をみることができる。
【００２４】
（実施の形態４）
図９は本発明による番組情報表示装置の第４の実施の形態の構成を示すブロック図である。図９において、番組情報数判定手段９０１は番組情報処理手段１０２から番組情報を取得し、散布図に表示される番組情報の数を判定し、判定結果を番組情報処理手段１０２に出力する。番組情報処理手段１０２は本発明の実施の形態１で記した動作の他に、番組情報数判定手段９０１から判定結果を取得し、判定結果を元に番組情報表示手段１０３に出力する番組情報の情報量を決定する。この第４の実施の形態において番組情報表示装置の他の構成は上記第１の実施の形態と同様である。
【００２５】
図１０は番組情報処理手段に格納された番組情報表示手段に出力する番組情報の情報量の設定情報を格納するデータ構造である。例えば、番組情報数の判定結果１００１が「サイズ３」であった場合、アイコン１００２、チャンネル１００３、タイトル１００４、解説１００５、サムネール１００６が番組情報として番組情報表示手段１０３に出力される。ここで判定結果１００１は番組情報数判定手段９０１から取得される。
【００２６】
以上の様に構成された番組情報表示装置の動作について説明する。視聴者は散布図のＸ軸、Ｙ軸に用いる属性を二つ第１の属性、第２の属性として番組属性入力手段１０４に入力する。番組情報処理手段１０２は属性入力手段１０４から第１の属性、第２の属性を取得し、番組情報格納手段１０１から番組情報及び番組情報の第１の属性に対する関連値、第２の属性に対する関連値を取得する。番組情報数判定手段９０１は、番組情報処理手段１０２から番組情報を取得し、番組情報の数を判定し、番組情報数が１０を超える場合には「サイズ１」を選択し、その結果を判定結果として番組情報処理手段１０２に出力する。５以上１０未満の場合には「サイズ２」を選択し、その結果を判定結果として番組情報処理手段１０２に出力する。５未満の場合には「サイズ３」を選択し、その結果を判定結果として番組情報処理手段１０２に出力する。番組情報処理手段１０２は、番組情報表示数判定手段９０１から判定結果を取得し、判定結果１００１が「サイズ１」であった場合にはアイコン１００２、チャンネル１００３、タイトル１００４を散布図に表示する番組情報として番組情報表示手段１０３に出力する。判定結果１００１が「サイズ２」であった場合には、番組情報処理手段１０２はアイコン１００２、チャンネル１００３、タイトル１００４、解説１００５を散布図に表示する番組情報として番組情報表示手段１０３に出力する。判定結果１００１が「サイズ３」であった場合には、番組情報処理手段１０２はアイコン１００２、チャンネル１００３、タイトル１００４、解説１００５、サムネール１００６を散布図に表示する番組情報として番組情報表示手段１０３に出力する。番組情報表示手段１０３は番組情報処理手段１０２から番組情報及び第１の属性、第２の属性、番組情報の第１の属性に対する関連値、第２の属性に対する関連値を取得する。そうして、番組情報表示手段１０３は第１の属性の属性をＸ軸にし、第２の属性をＹ軸にした散布図を作成し、各番組情報を第１の属性、第２の属性に対する関連値に従った位置に表示させる。なお、番組情報数判定手段９０１により決定される判定結果の種類は３つに限るものではない。また、判定結果により番組情報表示手段１０３に出力される番組情報の情報量の分類は図１０に限るものではない。また、番組情報表示手段１０３に表示する番組情報の情報量を決める番組情報数の分岐点は５、１０に限るものではない。
【００２７】
図１１及び図１２は第４の実施の形態における散布図の表示動作を説明する図である。第１の属性に「ＳＦ」を、第２の属性に「アクション」を入力すると、散布図に表示される番組情報の数が１０である場合、図１１に示すように、Ｘ軸１１０１として「ＳＦ」、Ｙ軸１１０２として「アクション」を２軸にとった散布図が作成され表示される。番組情報表示エリア１１１１にはアイコン、番組のチャンネル、タイトルが番組情報として表示される。一方、散布図に表示される番組情報の数が５であった場合には、図１２に示すように、Ｘ軸１２０１として「ＳＦ」、Ｙ軸１２０２として「アクション」を２軸にとった散布図が作成される。アイコン、番組のチャンネル、タイトル、番組解説が番組情報表示エリア１２１１に表示される。
【００２８】
このように、散布図に表示される番組情報の数により、表示させる番組情報の情報量を変化させることで散布図を見やすくすることが可能となる。
【００２９】
なお、以上の説明では番組情報表示数判定手段９０１は散布図に表示される番組情報の数を判定対象としたが、番組情報の数に限らず、散布図が表示する範囲を判定対象として用いてもよい。
【００３０】
（実施の形態５）
図１３は本発明による番組情報表示装置の第５の実施の形態の構成を示すブロック図である。図１３において、属性入力手段１０４は本発明の実施の形態１で記した動作の他に散布図に表示する文字のサイズのパラメータとして用いる第３の属性を入力する。番組情報表示サイズ設定手段１３０１は番組情報処理手段１０２から番組情報及び第１の属性、第２の属性、第３の属性、番組情報の第１の属性に対する関連値、第２の属性に対する関連値に対する関連値、第３の属性に対する関連値を取得する。そうして、番組情報表示サイズ設定手段１３０１は第３の属性の関連値から各番組情報の表示サイズ設定値を決定する。番組情報表示手段１０３は本発明の実施の形態１で記した動作の他に番組情報処理手段１０２から表示サイズ設定値を取得し、該当する番組情報を設定値に従った文字サイズで散布図に表示する。この第５の実施の形態において、番組情報表示装置の他の構成は上記第１の実施の形態と同様である。
【００３１】
以上のように構成された番組情報表示装置の動作について説明する。視聴者は番組属性入力手段１０４に散布図のＸ軸、Ｙ軸として用いる２つの属性を第１の属性、第２の属性として入力し、文字サイズのパラメータとして用いる属性を第３の属性として入力する。番組情報処理手段１０２は属性入力手段１０４から第１の属性、第２の属性、第３の属性を取得し、番組格納手段１０１から番組情報及び番組情報の第１の属性に対する関連値、第２の属性に対する関連値、第３の属性に対する関連値を取得し、番組情報表示サイズ設定手段１３０１に出力する。番組情報表示サイズ設定手段１３０１は番組情報処理手段１０２から番組情報及び第１の属性、第２の属性、第３の属性、番組情報の第１の属性に対する関連値、第２の属性に対する関連値、第３の属性に対する関連値を取得する。そうして、番組情報表示サイズ設定手段１３０１はその中で文字サイズのパラメータとして用いる第３の属性の関連値から散布図に表示させる表示サイズ設定値を決定し、表示サイズ設定値及び番組情報、第１の属性、第２の属性、番組情報の第１の属性に対する関連値、第２の属性に対する関連値を番組情報表示手段１０３に出力する。番組表示手段１０３は表示サイズ設定値及び番組情報、第１の属性、第２の属性、番組情報の第１の属性に対する関連値、第２の属性に対する関連値を取得する。そうして、番組表示手段１０３は第１の属性、第２の属性をＸ軸、Ｙ軸にした散布図を作成し、各番組情報を番組情報の第１の属性に対する関連値、第２の属性に対する関連値に従った場所に、表示サイズ設定値に従った文字の大きさの番組情報を表示させる。なお、番組情報表示サイズ設定手段１３０１により変更される対象は文字の大きさに限らず、散布図に表示させる番組情報の情報量、文字の色、アイコンサイズ、アイコンの形、アイコンの色も含まれる。
【００３２】
図１４は第５の実施の形態における散布図の表示動作を説明する図である。
【００３３】
図１４において、第１の属性に「ＳＦ」を、第２の属性に「アクション」を、第３の属性に「視聴率」を属性入力手段１０４に入力すると、番組情報表示手段１０３はＸ軸１４０１として「ＳＦ」、Ｙ軸１４０２として「アクション」を軸にした散布図を表示する。そうして、番組情報表示手段１０３は番組情報表示エリア１４１１に各番組情報及びアイコンをそれぞれの属性に対する関連値に従った場所に表示させる。その中で「視聴率」は散布図に表示された文字のサイズとして表示される。図１４に示すように、番組情報１４１１ａ（図面内では［映画］「コスモスウォーズ」）の表示サイズは、番組情報１４１１ｂ（図面内では［ドラマ］「みんな友達」）の表示サイズよりも大きいが、これは番組情報１４１１ａの視聴率が番組情報１４１１ｂの視聴率よりも高いことを意味している。
【００３４】
このように視聴者は番組の持つ３つの特性を２次元の散布図で理解することができる。
【００３５】
（実施の形態６）
図１５は本発明による番組情報表示装置の第６の実施の形態の構成を示すブロック図である。図１５において、３次元番組情報表示手段１５０１は番組情報処理手段１０２から番組情報及び番組情報の第１の属性、第２の属性、第３の属性に対する関連値を取得する。そうして、３次元番組情報表示手段１５０１は第１の属性、第２の属性、第３の属性を軸にした３次元の散布図を作成、表示する。この第６の実施の形態において、番組情報表示装置の他の構成は上記第１の実施の形態と同様である。
【００３６】
以上のように構成された番組情報表示装置の動作について説明する。視聴者は散布図の軸に用いる第１の属性、第２の属性、第３の属性を番組属性入力手段１０４に入力する。番組情報処理手段１０２は属性入力手段１０４から第１の属性、第２の属性、第３の属性を取得し、番組情報格納手段１０１から番組情報及び番組情報の第１の属性に対する関連値、第２の属性に対する関連値、第３の属性に対する関連値を取得する。３次元番組表示手段１５０１は番組情報処理手段１０２から番組情報及び番組情報の第１の属性、第２の属性、第３の属性、番組情報の第１の属性に対する関連値、第２の属性に対する関連値、第３の属性に対する関連値を取得する。そうして、３次元番組表示手段１５０１は第１の属性、第２の属性、第３の属性をそれぞれＸ軸、Ｙ軸、Ｚ軸にした３次元散布図を作成する。そうして、３次元番組表示手段１５０１は番組情報を番組情報の第１の属性に対する関連値、第２の属性に対する関連値、第３の属性に対する関連値に従った位置に表示させる。
【００３７】
図１６は第６の実施の形態における散布図の表示動作を説明する図である。第１の属性に「ＳＦ」を、第２の属性に「アクション」を第３の属性に「視聴率」を入力した場合、図１６に示すように、番組情報表示手段１０３はＸ軸１６０１として「ＳＦ」、Ｙ軸１６０２として「アクション」、Ｚ軸１６０３として「視聴率」を軸にした３次元散布図を作成し、番組情報表示エリア１６１１に各番組情報をそれぞれの属性に対する関連値に従った場所に表示させる。視聴率は散布図に表示された縦棒の長さで表示される。
【００３８】
このように情報が３次元表示されるので、番組の持つ３つの特性を一目で理解することができる。
【００３９】
（実施の形態７）
図１７は本発明による番組情報表示装置の第７の実施の形態の構成を示すブロック図である。図１７において、チャンネル割り当て手段１７０１は番組情報処理手段１０２から番組情報及び番組情報の第１の属性に対する関連値、第２の属性に対する関連値を取得する。そうしてチャンネル割り当て手段１７０１は、第１の属性に対する関連と第２の属性に対する関連値を合算し、合算値の高い番組情報から降順に仮想チャンネルを割り当て、その結果を番組情報処理手段１０２に出力する。番組情報処理手段１０２は本発明の実施の形態１で記載された機能の他に、チャンネル割り当て手段１７０１から仮想チャンネルを取得し、番組情報格納手段１０１から取得した番組情報に仮想チャンネルを入力し、番組情報及び第１の属性、第２の属性、第１の属性に対する関連値、第２の属性に対する関連値を番組情報表示手段１０３に出力する。さらに番組情報処理手段１０２が属性入力手段１０４から仮想チャンネルと同じ番号が入力された場合、格納してある番組情報を参照して正規のチャンネルに変換して番組表示させる。この第７の実施の形態において、番組情報表示装置の他の構成は上記第１の実施の形態と同様である。
【００４０】
図１８は番組情報処理手段１０２に格納された散布図に表示させる為の番組情報のデータ構造である。番組のチャンネル１８０２、タイトル１８０３、第１の属性１８０４の関連値、第２の属性１８０５の関連値は番組情報格納手段１０１から取得される。仮想チャンネル１８０１はチャンネル割り当て手段１７０１から取得される。
【００４１】
以上のように構成された番組情報表示装置の動作について説明する。視聴者は散布図に表示させたい２つの属性を第１の属性、第２の属性として番組属性入力手段１０４を通じて番組情報処理手段１０２に入力する。番組情報処理手段１０２は属性入力手段１０４から第１の属性、第２の属性を取得し、番組情報格納手段１０１から番組情報及び番組情報の第１の属性に対する関連値、第２の属性に対する関連値を取得する。次にチャンネル割り当て手段１７０１は番組情報処理手段１０２から番組情報及び番組情報の第１の属性に対する関連値、第２の属性に対する関連値を取得する。そうして、チャンネル割り当て手段１７０１はそれぞれの番組情報の第１の属性に対する関連値、第２の属性に対する関連値を合算し、その合算値の高い番組情報から降順に仮想チャンネルを割り当て、その結果を番組情報処理手段１０２に出力する。番組情報処理手段１０２はチャンネル割り当て手段１７０１から仮想チャンネルを取得し、図１８に記載されるように番組情報の仮想チャンネル１８０１に入力する。番組情報表示手段１０３は番組情報処理手段１０２から番組情報及び番組情報の第１の属性に対する関連値、第２の属性に対する関連値を取得し、第１の属性１８０４、第２の属性１８０５を軸にした散布図を表示する。そうして、番組情報表示手段１０３は割り当てられた仮想チャンネル１８０１、チャンネル１８０２、タイトル１８０３を第１の属性１８０４の関連値と第２の属性１８０５の関連値に従った位置に表示する。次に視聴者が属性入力手段１０４を通じて情報処理手段１０２に仮想チャンネル１８０１と同じ値を入力した場合、番組情報処理手段１０２は番組情報を参照して、仮想チャンネル１８０１に対応したチャンネル１８０２に変換して、番組を表示させる。例えば図１８において「４」が入力された場合、番組情報処理手段１０２にて「ＣＳ６４」に変換され、［ドラマ］「みんな友達」が番組選択される。
【００４２】
図１９は第７の実施の形態における散布図の表示動作を説明する図である。第１の属性に「ＳＦ」を、第２の属性に「アクション」を入力した場合、図１９に示す通り番組表示手段１０３はＸ軸１９０１として「ＳＦ」を、Ｙ軸１９０２として「アクション」を座標軸とした散布図を作成する。そうして、番組表示手段１０３は番組情報表示エリア１９１１に番組情報を番組情報のそれぞれの属性に対する関連値に従った場所に表示させる。その際、各番組の「ＳＦ」、「アクション」の関連値の合算した値の高い順に仮想チャンネル１９２１が表示される。ここで例えば視聴者が［映画］「国分寺サッカー」を見たい場合、リモコンの「３」を押すことで、番組を視聴することができる。なお、番組情報と仮想チャンネルの組み合わせは一定時間、もしくはＴＶの電源が切れるまで、またはその番組情報に対応する番組が終了するまで保持していてもよい。また、番組情報と仮想チャンネルの組み合わせの数に上限を設けてもよい。また、仮想チャンネルの割り当ては関連値の合算した値の高い順に割り当てるものに限られない。
【００４３】
このようにして視聴者は散布図に表示された番組情報と仮想チャンネルを見て、仮想チャンネルと同じ数字をリモコンで入力することで、番組を選択することが可能になる。これにより視聴者は番組を選択する際、煩雑な作業を伴う事なく、番組を視聴することが可能となる。
【００４４】
以上のように、本発明の番組情報表示装置により、視聴者は任意の属性を番組情報を表示する散布図の軸に用いた電子番組ガイドを利用する事が可能となり、所望の番組を簡単にみつけだすことが可能となる。更に散布図という形で番組情報を表示させることにより、番組表と比較して離散的な配置の制約のない、自由度の高い番組情報の表示が可能な電子番組ガイドを提供することができる。
【産業上の利用可能性】
【００４５】
本発明による番組情報表示装置は番組情報を表示する散布図の軸として任意の属性を用いた電子番組ガイドを利用する事が可能で、所望の番組を簡単にみつけだすことが可能となる。更に、本発明による番組情報表示装置は散布図という形で番組情報を表示させることにより、離散的な配置の制約のない、自由度の高い番組情報の表示が可能な電子番組ガイドを提供することができる。
【図面の簡単な説明】
【００４６】
【図１】本発明の第１の実施の形態の構成を示すブロック図
【図２】番組情報格納手段に格納された番組情報の例を抜粋して示すデータ構造図
【図３】番組情報処理手段に格納された散布図に表示させる番組情報の例を抜粋して示すデータ構造図
【図４】本発明の第１の実施の形態の表示動作を表す散布図
【図５】本発明の第２の実施の形態の構成を示すブロック図
【図６】本発明の第２の実施の形態の表示動作を表す散布図
【図７】本発明の第３の実施の形態の構成を示すブロック図
【図８】本発明の第３の実施の形態の表示動作を表す散布図
【図９】本発明の第４の実施の形態の構成を示すブロック図
【図１０】本発明の第４の実施の形態における番組情報処理手段に格納された番組情報の情報量の設定情報の例を抜粋して示すデータ構造図
【図１１】本発明の第４の実施の形態において、表示する番組情報数が１０の場合の表示動作を表す散布図
【図１２】本発明の第４の実施の形態において、表示する番組情報数が５の場合の表示動作を表す散布図
【図１３】本発明の第５の実施の形態の構成を示すブロック図
【図１４】本発明の第５の実施の形態の表示動作を表す散布図
【図１５】本発明の第６の実施の形態の構成を示すブロック図
【図１６】本発明の第６の実施の形態の表示動作を表す散布図
【図１７】本発明の第７の実施の形態の構成を示すブロック図
【図１８】本発明の第７の実施の形態において、番組情報処理手段に格納された散布図に表示させる番組情報の例を抜粋して示すデータ構造図
【図１９】本発明の第７の実施の形態の表示動作を表す散布図
【符号の説明】
【００４７】
１０１   番組情報格納手段
１０２   番組情報処理手段
１０３   番組情報表示手段
１０４   属性入力手段
２０１   チャンネル
２０２   タイトル
２０３   解説
２０４   属性
３０１   チャンネル
３０２   タイトル
３０３   第１の属性
３０３ａ   第１の属性に対する関連値
３０４   第２の属性
３０４ａ   第２の属性に対する関連値
４０１   Ｘ軸
４０２   Ｙ軸
４１１   番組情報表示エリア
４２１   アイコン
４２２   番組情報
６０１   Ｘ軸
６０２   Ｙ軸
６１１   番組情報表示エリア
７０１   番組情報削除手段
８０１   Ｘ軸
８０２   Ｙ軸
８１１   番組情報表示エリア
９０１    番組情報数判定手段
１００１   判定結果
１００２  アイコン
１００３   チャンネル
１００４    タイトル
１００５    解説
１００６    サムネール
１１０１    Ｘ軸
１１０２    Ｙ軸
１１１１    番組情報表示エリア
１２０１    Ｘ軸
１２０２    Ｙ軸
１２１１    番組情報表示エリア
１３０１    番組情報表示サイズ設定手段
１４０１    Ｘ軸
１４０２    Ｙ軸
１４１１    番組情報表示エリア
１４１１ａ    番組情報（［映画］「コスモスウォーズ」）
１４１１ｂ    番組情報（［ドラマ］「みんな友達」）
１５０１    ３次元番組情報表示手段
１６０１    Ｘ軸
１６０２    Ｙ軸
１６０３    Ｚ軸
１６１１    番組情報表示エリア
１７０１    チャンネル割り当て手段
１８０１    仮想チャンネル
１８０２    チャンネル
１８０３    タイトル
１８０４    第１の属性
１８０５    第２の属性
１９０１    Ｘ軸
１９０２    Ｙ軸
１９１１    番組情報表示エリア
１９２１    仮想チャンネル
【手続補正３】
【補正対象書類名】図面
【補正対象項目名】全図
【補正方法】変更
【補正の内容】
【図１】
2004107748.tif 000022
【図２】
2004107748.tif 000023
【図３】
2004107748.tif 000024
【図４】
2004107748.tif 000025
【図５】
2004107748.tif 000026
【図６】
2004107748.tif 000027
【図７】
2004107748.tif 000028
【図８】
2004107748.tif 000029
【図９】
2004107748.tif 000030
【図１０】
2004107748.tif 000031
【図１１】
2004107748.tif 000032
【図１２】
2004107748.tif 000033
【図１３】
2004107748.tif 000034
【図１４】
2004107748.tif 000035
【図１５】
2004107748.tif 000036
【図１６】
2004107748.tif 000037
【図１７】
2004107748.tif 000038
【図１８】
2004107748.tif 000039
【図１９】
2004107748.tif 000040
【国際調査報告】
2004107748.tif 000041
2004107748.tif 000042
2004107748.tif 000043
2004107748.tif 000044